(57)【要約】【課題】低コストで、多くのセグメント電極の点消灯制御を行える液晶表示装置を提供する。【解決手段】ＬＣＤドライバ回路９には、駆動信号出力端子ＳＥＧ１２が設けられている。この駆動信号出力端子ＳＥＧ１２は、共通端子ＣＯＭ１１を走査し、これに同期して、各駆動信号を出力するように構成されている。  更に、ＣＰＵ１０は、共通端子ＣＯＭ１１の出力するフレーム周波数よりも、高い周波数のパルスを出力する出力端子１３を有している。  この出力端子１３は、セグメント電極７ａ〜７ｅのうち、駆動信号出力端子ＳＥＧ１２の数量が不足していて、駆動信号出力端子ＳＥＧ１２が、未接続のセグメント電極７ｅに対して接続されるように構成されている。  共通端子ＣＯＭ１１と、ＣＰＵ１０の出力端子１３が接続されたセグメント電極７ｅとの間の通信線１５に、Ｈiインピーダンス抵抗１４が接続されている。【選択図】図１
2008241894.tif 000002
【特許請求の範囲】
【請求項１】
セグメント電極を各々有する複数のセグメントが設けられた液晶表示板と、該液晶表示板の該セグメント電極に接続されて、時分割されたフレーム周波数で、パルスを出力する共通端子ＣＯＭ及び、該共通端子ＣＯＭを走査し、これに同期して、前記各駆動信号を出力する駆動信号出力端子ＳＥＧを有するＬＣＤドライバ回路と、前記共通端子ＣＯＭの出力するフレーム周波数よりも、高い周波数のパルスを出力する出力端子を有するセグメント点消灯制御ＣＰＵとを有し、該出力端子を前記駆動信号出力端子ＳＥＧの数量が不足している未接続のセグメント電極に対して接続する液晶表示装置であって、
前記共通端子ＣＯＭと、前記セグメント点消灯制御ＣＰＵの出力端子が接続された前記セグメント電極との間に、Ｈiインピーダンス抵抗を接続したことを特徴とする液晶表示装置。
【請求項２】
前記共通ＣＯＭ端子から出力されるパルスは、１／４ＤＵＴＹ、１／３バイアスのフレーム周波数からなり、該フレーム周波数の８倍の周波数の波形を前記セグメント点消灯制御ＣＰＵからパルス出力して、前記セグメントを点灯させると共に、消灯時には、前記セグメント点消灯制御ＣＰＵからパルス出力を行わないことを特徴とする請求項１記載の液晶表示装置。
【発明の詳細な説明】
【技術分野】
【０００１】
本発明は、主に、自動車等、車両に用いられる液晶表示装置に関するものである。
【背景技術】
【０００２】
従来、図４及び図５に示すような電気炊飯器の液晶表示装置が知られている（例えば、特許文献１参照）。
【０００３】
まず、構成から説明すると、この液晶表示装置１は、主に、液晶表示板２及びマイクロコンピュータ３により構成されている。
【０００４】
このうち、前記マイクロコンピュータ３には、図示省略の分圧回路４から、供給される複数の直流電圧ＶＬＣＤ１〜３により、前記液晶表示板２の複数のセグメント電極３ａ〜３ｄ等を、表示及び非表示状態に切り換える出力を行う、共通端子ＣＯＭ０〜ＣＯＭ２が設けられていて、前記液晶表示板２に各々接続されている。
【０００５】
また、このマイクロコンピュータ３には、これらの共通端子ＣＯＭ０〜ＣＯＭ２をあるフレーム周期に時分割して、走査し、これに同期して各駆動信号を出力する各駆動信号出力端子ＳＥＧ１２〜ＳＥＧ３０が、設けられていて、前記液晶表示板２に各々接続されている。
【０００６】
そして、これらの各駆動信号出力端子ＳＥＧ１２〜ＳＥＧ３０が、前記液晶表示板２に接続されていて、表示を必要とする各セグメント電極３ａ〜３ｄ等に電圧が印可されて、所定の表示が行れるように構成されている。
【０００７】
次に、この従来例の液晶表示装置の作用効果について、説明する。
【０００８】
前記マイクロコンピュータ３は、１フレーム周期を３つに時分割して、１／３デューティで３つの端子ＣＯＭ０〜ＣＯＭ２を走査する。
【０００９】
この際、前記各駆動信号出力端子ＳＥＧ１２〜ＳＥＧ３０から、必要に応じて駆動信号が出力される。
【００１０】
そして、図５中（ａ）に示すように、例えば、ＣＯＭ２から駆動信号が、出力されると共に、これに同期して、図５（ｂ）に示すように、例えば、１つのセグメント電極に接続されている駆動信号出力端子ＳＥＧ１２から駆動信号が出力される。
【００１１】
このため、ＣＯＭ２からの駆動信号により、図示省略のコモン端子に印可される電圧と、駆動信号出力端子ＳＥＧ１２から出力される駆動信号により、図示省略のセグメント端子に印可される電圧との電位差Ｖ１が、図５（ｃ）に示すように、所定値を超える時、該当するセグメント３ａ等が表示される。
【特許文献１】特開２００２−３４１８１８号公報（００１５段落乃至００７１段落、図１、図７）
【発明の開示】
【発明が解決しようとする課題】
【００１２】
しかしながら、このように構成された従来の液晶表示装置では、前記液晶表示板２のセグメント電極３ａ〜３ｄの数量を、更に、増大させると、前記マイクロコンピュータ３の各駆動信号出力端子ＳＥＧ１２〜ＳＥＧ３０が、不足する場合がある。
【００１３】
この場合、更に、多くの各駆動信号出力端子ＳＥＧ１２等を有して、多くのセグメント電極３ａ〜３ｃを駆動制御出来るマイクロコンピュータに変更したり、別途、駆動信号出力端子ＳＥＧ１２〜ＳＥＧ３０を有するＬＣＤドライバ回路を増設する必要があり、製造コストが増大してしまうといった問題があった。
【００１４】
そこで、この発明は、低コストで、多くのセグメント電極の点消灯制御を行える液晶表示装置を提供することを課題としている。
【課題を解決するための手段】
【００１５】
上記目的を達成するために、請求項１に記載された発明は、セグメント電極を各々有する複数のセグメントが設けられた液晶表示板と、該液晶表示板の該セグメント電極に接続されて、時分割されたフレーム周波数で、パルスを出力する共通端子ＣＯＭ及び、該共通端子ＣＯＭを走査し、これに同期して、前記各駆動信号を出力する駆動信号出力端子ＳＥＧを有するＬＣＤドライバ回路と、前記共通端子ＣＯＭの出力するフレーム周波数よりも、高い周波数のパルスを出力する出力端子を有するセグメント点消灯制御ＣＰＵとを有し、、該出力端子を前記駆動信号出力端子ＳＥＧの数量が不足している未接続のセグメント電極に対して接続する液晶表示装置であって、前記共通端子ＣＯＭと、前記セグメント点消灯制御ＣＰＵの出力端子が接続された前記セグメント電極との間に、Ｈiインピーダンス抵抗を接続した液晶表示装置を特徴としている。
【００１６】
また、請求項２に記載されたものは、前記共通ＣＯＭ端子から出力されるパルスは、１／４ＤＵＴＹ、１／３バイアスのフレーム周波数からなり、該フレーム周波数の８倍の周波数の波形を前記セグメント点消灯制御ＣＰＵからパルス出力して、前記セグメントを点灯させると共に、消灯時には、前記セグメント点消灯制御ＣＰＵからパルス出力を行わない請求項１記載の液晶表示装置を特徴としている。
【発明の効果】
【００１７】
このように構成された請求項１記載の発明は、前記共通端子ＣＯＭと、前記セグメント電極との間がＨiインピーダンス抵抗により接続されていて、前記セグメント点消灯制御ＣＰＵの出力端子と、該出力端子が接続された前記セグメント電極への接続部間に対して、Ｈiインピーダンス抵抗が介在されて接続されている。
【００１８】
このため、前記セグメント点消灯制御ＣＰＵの出力端子から、前記共通端子のフレーム周波数よりも高い周波数のパルスが出力されると、パルス信号が容易に同期して、電位差が生じたタイミングで、前記セグメントを点灯させる。
【００１９】
また、前記セグメント点消灯制御ＣＰＵの出力端子から、パルスの出力が行われないと、前記接続されたＨiインピーダンス抵抗によって、前記セグメント点消灯制御ＣＰＵの出力端子と、前記共通端子との電位差が無くなり、同電位となるので、前記セグメントが、消灯する。
【００２０】
従って、マイクロコンピュータを変更したり、或いは、ＬＣＤドライバ回路を増設する必要が無く、低コストで、多くのセグメント電極の点消灯制御を行える液晶表示装置が提供される。
【００２１】
また、請求項２記載の発明は、前記共通ＣＯＭ端子から出力されるパルスが、１／４ＤＵＴＹで、該フレーム周波数の８倍の周波数の波形が、前記セグメント点消灯制御ＣＰＵからパルス出力されると、２／３バイアス電圧以上の電位差が発生したタイミングで、前記セグメントが、フリッカーを発生させることなく点灯する。
【００２２】
また、前記セグメント点消灯制御ＣＰＵからパルス出力が行われないと、前記共通ＣＯＭ出力端子と、Ｈiインピーダンス抵抗によって接続されているセグメント電極との間が同電位となるので、前記セグメントが消灯する。
【発明を実施するための最良の形態】
【００２３】
次に、図面に基づいて、この発明を実施するための最良の実施の形態の液晶表示装置について、説明する。
【００２４】
なお、前記従来例と同一乃至均等な部分については、同一符号を付して説明する。
【００２５】
図１乃至図３は、この発明の最良の実施の形態の液晶表示装置を示すものである。
【００２６】
まず、全体の構成について説明すると、この実施の形態の液晶表示装置５では、図１に示すように、前記セグメント電極８ａ〜８ｅを各々有する複数のセグメント７ａ〜７ｅが設けられた液晶表示板６と、この液晶表示板６のうち、前記セグメント７ａ〜７ｄの点消灯を制御するＬＣＤドライバ回路９と、前記セグメント７ｅの点消灯を制御するセグメント点消灯制御ＣＰＵとしてのＣＰＵ１０を有して、主に構成されている。
【００２７】
このうち、前記ＬＣＤドライバ回路９の共通端子ＣＯＭ１１は、前記液晶表示板６の全てのセグメント電極８ａ〜８ｅに接続されて、時分割されたフレーム周波数で、パルスが出力されるように構成されている。
【００２８】
この実施の形態の共通端子ＣＯＭ１１は、１／４ＤＵＴＹ、１／３バイアスのフレーム周波数を有するパルスが出力されるように構成されている。
【００２９】
また、このＬＣＤドライバ回路９には、駆動信号出力端子ＳＥＧ１２が設けられている。
【００３０】
この駆動信号出力端子ＳＥＧ１２は、前記共通端子ＣＯＭ１１を走査し、これに同期して、前記各駆動信号を出力するように構成されている。
【００３１】
更に、前記ＣＰＵ１０は、他の出力制御を行う図示省略の出力端子を複数有することにより、セグメント７ｅの点消灯以外の制御を行うＣＰＵ１０として兼用されている構成としている。
【００３２】
また、このＣＰＵ１０は、前記共通端子ＣＯＭ１１の出力するフレーム周波数よりも、高い周波数のパルスを出力する出力端子１３を有している。
【００３３】
この出力端子１３は、前記セグメント電極７ａ〜７ｅのうち、前記駆動信号出力端子ＳＥＧ１２の数量が不足していて、前記駆動信号出力端子ＳＥＧ１２が、未接続のセグメント電極７ｅに対して接続されるように構成されている。
【００３４】
この実施の形態の出力端子１３では、図２に示すように、前記共通端子ＣＯＭ１１のフレーム周波数の８倍の周波数の波形が、パルス出力されるように構成されている。
【００３５】
そして、図２中斜線で示すように、共通端子ＣＯＭ１１の出力するパルスと、前記ＣＰＵ１０の出力端子１３が出力するパルスとの間が、１バイアス差を生じる場合、前記セグメント８ｅが点灯するように構成されている。
【００３６】
更に、この実施の形態の液晶表示装置５では、前記共通端子ＣＯＭ１１と、前記ＣＰＵ１０の出力端子１３が接続された前記セグメント電極７ｅとの間の通信線１５に、Ｈｉインピ−ダンス抵抗１４が接続されている。
【００３７】
このため、この実施の形態の液晶表示装置５では、前記共通ＣＯＭ端子１１から出力されるパルスは、１／４ＤＵＴＹ、１／３バイアスのフレーム周波数からなり、このフレーム周波数の８倍の周波数の波形が、前記ＣＰＵ１０からパルス出力されて、前記セグメントを点灯させると共に、消灯時には、前記ＣＰＵ１０からパルス出力を行わないことにより、このＨｉインピ−ダンス抵抗１４によって、図３に示すように、前記セグメント電極７ｅへの入力信号を、前記共通端子ＣＯＭ１１からの出力信号と、同電位の波形とするように、前記Ｈｉインピ−ダンス抵抗１４の抵抗値が設定されている。
【００３８】
次に、この実施の形態の液晶表示装置５の作用について説明する。
【００３９】
この実施の形態の液晶表示装置５は、前記共通端子ＣＯＭ１１と、前記セグメント電極７ｅとの間が、Ｈｉインピーダンス抵抗１４により接続されていて、このＨｉインピーダンス抵抗１４が介在されて接続されている。
【００４０】
このため、前記ＣＰＵ１０の出力端子１３から、前記共通端子ＣＯＭ１１のフレーム周波数よりも高い周波数のパルスが出力されると、パルス信号が容易に同期して、電位差が生じたタイミングで、前記セグメント７ｅが点灯される。
【００４１】
前記共通端子ＣＯＭから出力されるパルスが、１／４ＤＵＴＹで、このフレーム周波数の８倍の周波数の波形が、前記ＣＰＵ１０からパルス出力されると、図２中、斜線部分に示すタイミングで、２／３バイアス電圧以上の電位差が発生したタイミングで、前記セグメント８ｅが、フリッカーを発生させることなく点灯する。
【００４２】
また、前記ＣＰＵ１０の出力端子１３から、パルスの出力が行われないと、図３に示すように、前記接続されたＨｉインピーダンス抵抗１４によって、前記ＣＰＵ１０の出力端子１３と、前記共通端子ＣＯＭ１１との電位差が無くなり、同電位となるので、前記セグメント８ｅが、消灯する。
【００４３】
従って、マイクロコンピュータを変更したり、或いは、ＬＣＤドライバ回路９を増設する必要が無く、低コストで、多くのセグメント電極の点消灯制御を行える液晶表示装置が提供される。
【００４４】
前記セグメント点消灯制御ＣＰＵからパルス出力が行われないと、前記共通ＣＯＭ出力端子と、抵抗によって接続されているセグメント電極との間が同電位となるので、前記セグメントが消灯する。
【００４５】
また、この実施の形態では、前記ＣＰＵ１０は、他の出力制御を行う図示省略の出力端子を複数有することにより、セグメント７ｅの点消灯以外の他の制御を行うＣＰＵ１０として兼用されている。
【００４６】
このため、他の制御を行うＣＰＵ１０の空いている出力端子１３を用いて、前記セグメント電極７ａ〜７ｅのうち、前記駆動信号出力端子ＳＥＧ１２の数量が不足していて、前記駆動信号出力端子ＳＥＧ１２が、未接続のセグメント電極７ｅに対して接続して、点消灯制御が行える。
【００４７】
従って、ＣＰＵ１０（マイクロコンピュータ）を変更したり、或いは、ＬＣＤドライバ回路９を増設する必要が無く、低コストで、多くのセグメント電極７ｅの点消灯制御を行える液晶表示装置が提供される。
【００４８】
以上、図面を参照して、本発明の実施の形態を詳述してきたが、具体的な構成は、この実施の形態に限らず、本発明の要旨を逸脱しない程度の設計的変更は、本発明に含まれる。
【００４９】
即ち、前記実施の形態では、図１中、左から５つ目のセグメント８ｅが、前記駆動信号出力端子ＳＥＧ１２の数量の不足によって、未接続となっているが、例えば、１つ目のセグメント電極７ａ〜４つ目のセグメント電極７ｅ或いは、多数のセグメントを有する液晶表示板では、６つ目及び７つ目等、何番目のセグメント電極が未接続であっても、前記高い周波数のパルスを出力する出力端子を、これらのセグメント電極に対して接続するものであるならば、接続される数量，形状，材質及び、順列及び組み合わせが、特に限定されるものではない。
【図面の簡単な説明】
【００５０】
【図１】この発明の最良の実施の形態の液晶表示装置で、回路の構成を説明する模式的なブロック図である。
【図２】この発明の最良の実施の形態の液晶表示装置で、パルス出力が有る場合の共通端子ＣＯＭの出力パルス波形と、ＣＰＵの出力端子からの出力パルス波形とを時間軸で示すタイミングチャート図である。
【図３】この発明の最良の実施の形態の液晶表示装置で、パルス出力が無い場合の共通端子ＣＯＭの出力パルス波形と、ＣＰＵの出力端子からの出力パルス波形とを時間軸で示すタイミングチャート図である。
【図４】従来例の液晶表示装置で、回路の構成を説明する模式的なブロック図である。
【図５】従来例の液晶表示装置で、（ａ）は、ＣＯＭ２の出力パルス波形、（ｂ）は、駆動信号出力端子ＳＥＧ１２から駆動信号のパルス波形、（ｃ）は、（ａ）と（ｂ）との電位差を示す出力パルス波形とを時間軸で示すタイミングチャート図である。
【符号の説明】
【００５１】
５        液晶表示装置
６        液晶表示板
７ａ〜７ｄ，７ｅ
セグメント電極
８ａ〜８ｄ，８ｅ
セグメント
９        ＬＣＤドライバ回路
１０      ＣＰＵ（セグメント点消灯制御ＣＰＵ）
１１      共通端子ＣＯＭ
１２      駆動信号出力端子ＳＥＧ
１３      出力端子
１４      Ｈｉインピ−ダンス抵抗
【図１】
2008241894.tif 000003
【図２】
2008241894.tif 000004
【図３】
2008241894.tif 000005
【図４】
2008241894.tif 000006
【図５】
2008241894.tif 000007